(57)【要約】【課題】  本発明は、高さ方向の寸法が小さな小型化が可能で、容易にクリック感触を変更することができると共に操作フィーリングにバラツキが発生しないスイッチ装置を提供すること。【解決手段】  本発明は、揺動操作可能にケース５に支持された操作ノブ１と、この操作ノブ１の揺動操作でケース５内部に配設したスイッチ回路（図示せず）を切り換え可能なスイッチ機構１０ａ〜１０ｄとを備え、ケース５内部には、操作ノブ１にクリック感を伝達可能なカム面８を有するカム部材７が配設され、操作ノブ１の揺動操作に連動して、スイッチ回路が切り換わると共に、クリック感が創出されて操作ノブ１に伝達される。【選択図】        図１
2006140060.tif 000002
【特許請求の範囲】
【請求項１】
揺動操作可能にケースに支持された操作ノブと、この操作ノブの揺動操作で前記ケース内部に配設したスイッチ回路を切り換え可能なスイッチ機構とを備え、前記ケース内部には、前記操作ノブにクリック感を伝達可能なカム面を有し前記ケースと別体のカム部材が配設され、前記操作ノブの揺動操作に連動して、前記スイッチ回路が切り換わると共に、クリック感が創出されて前記操作ノブに伝達されることを特徴とするスイッチ装置。
【請求項２】
前記ケースの上壁部に前記操作ノブを配設し、前記上壁部の内部の上面に前記カム部材を配設し、前記ケースの上面と対向する側に前記スイッチ回路を設けたことを特徴とする請求項１記載のスイッチ装置。
【請求項３】
前記スイッチ機構は、前記ケースの上面と対向する側の前記ケース内部に配設した前記スイッチ基板上に前記カム部材と対向させて少なくとも一対形成され、前記カム部材には、前記操作ノブの揺動操作に連動していずれか一方の前記スイッチ機構を操作可能なスイッチ操作部材が支持されていることを特徴とする請求項２記載のスイッチ装置。
【請求項４】
前記操作ノブには、前記ケースに支持可能な揺動支持部と、この揺動支持部近傍から前記ケース内部に配設した前記カム部材側に延びる操作軸とが形成され、前記操作軸には、前記スイッチ操作部材の一部が係合して前記カム部材に支持した前記スイッチ操作部材を回動操作可能な係合部が形成されていることを特徴とする請求項３記載のスイッチ装置。
【請求項５】
前記操作軸には、前記カム面に弾性付勢して摺接可能な摺接部材が保持され、前記操作ノブを揺動操作すると、前記操作軸が傾動して前記摺接部材が前記カム面上を摺接し、前記操作ノブに前記クリック感が伝達されると共に、前記スイッチ操作部材が回動して前記スイッチ機構のスイッチ回路が切り換わることを特徴とする請求項４記載のスイッチ装置。
【請求項６】
前記スイッチ操作部材は、前記操作ノブの前記操作軸を挟んで互いに対向する一対の挟持壁を有すると共に、前記操作軸に形成した前記係合部にスライド係合可能なスライド支持部が前記一対の挟持壁に形成され、前記操作ノブを揺動操作して前記操作軸が傾動すると、前記スライド支持部が前記係合部をスライドして、前記スイッチ操作部材が回動するようにしたことを特徴とする請求項５記載のスイッチ装置。
【請求項７】
前記スイッチ操作部材には、前記一対の挟持壁を一体化する基部を有し、この基部には、前記カム部材に形成した第１係止部に回動自在に係合可能な回動支持部が一対形成されると共に、前記一対の回動支持部がそれぞれ中央部に設けられた一対の部分と、この一対の部分の端部同士を互いにつなぐ延出部分とが形成され、前記基部の一方側と他方側との延出部分と対向する下方側には、前記スイッチ機構がそれぞれ配設され、前記スイッチ操作部材が前記回動支持部を支点として回動すると、前記基部の延出部分がそれぞれの前記スイッチ機構を操作可能になっていることを特徴とする請求項２乃至６のいずれかに記載のスイッチ装置。
【請求項８】
前記摺動部材は、前記カム面上を摺接可能な鋼球からなることを特徴とする請求項５乃至７のいずれかに記載のスイッチ装置。
【請求項９】
前記カム部材の前記カム面は、所定厚さの板状の壁部に形成され、前記壁部を前記ケース内部に形成した支持溝に嵌合させて前記カム部材を支持したことを特徴とする請求項１乃至８のいずれかに記載のスイッチ装置。
【請求項１０】
前記スイッチ操作部材の一方側と他方側の前記基部の前記延出部分と対向する下方側には、前記スイッチ機構がそれぞれ２個ずつ（合計４個）形成され、前記操作ノブを揺動させる第１の揺動操作で、いずれか一方の前記延出部分によって前記２個の内の１個の前記スイッチ機構が操作され、前記第１の揺動操作より揺動量が大きな第２の揺動操作で、残りの１個のスイッチ機構を操作するようにしたことを特徴とする請求項７乃至９のいずれかに記載のスイッチ装置。
【請求項１１】
前記カム部材のカム面には、前記操作ノブの前記第１の揺動操作に対応して第１のクリック感を創出可能な凹部と、前記第２の揺動操作に対応して第２のクリック感を創出可能な段差部とが形成されていることを特徴とする請求項１０に記載のスイッチ装置。
【請求項１２】
前記カム部材は、前記ケース内部に形成した係止突起に係合可能な第２係止部が形成され、この第２係止部を前記係止突起に係合させることで前記カム部材が前記ケース内部に係止されることを特徴とする請求項１乃至１１のいずれかに記載のスイッチ装置。
【発明の詳細な説明】
【技術分野】
【０００１】
本発明は、スイッチ装置に係わり、接点機構を駆動すると共にこの駆動に連動してクリック感を操作部材に与えることができるスイッチ装置に関する。
【背景技術】
【０００２】
従来のスイッチ装置として、特許文献１に基づいて説明すると、図６に記載のように、従来のスイッチ装置は、例えば自動車のパワーウインドスイッチに適用されており、操作ノブ５２の押下（プッシュ）及び引上（プルアップ）操作によりスイッチ動作を行うようになっている。
まず、最下部には、樹脂材料からなり内部が空洞状のハウジング５１が配設され、このハウジング５１の上壁５１ａには、上方に突出する第１、第２ガイド部５１ｂ、５１ｃが形成されている。
また、第１、第２ガイド部５１ｂ、５１ｃに挟まれた部分の上壁５１ａには、カム面５１ｄが形成され、このカム面５１ｄ上を後述するプランジャー５３の当接部５３ａが摺動することで、カム面５１ｄの形状に対応してクリック感が創出されるようになっている。
【０００３】
また、ハウジング５１上に配設した操作ノブ５２は、ハウジング５１に揺動自在に支持されて、把持部５２ａを上下動することにより、図６おいて、時計回り方向及び反時計回り方向に揺動可能になっている。
また、操作ノブ５２は、中空状の内部にボス５２ｂが図示下方に延設され、このボス５２ｂの図示左側に第１リブ５２ｃと図示右側に第２リブ５２ｄとが形成されている。
【０００４】
また、ボス５２ｂの下部には、ボス５２ｂに上下動自在に支持されたプランジャー５３が配設され、プランジャー５３は、ボス５２ｂとプランジャー５３の内部に収納されるバネ５４で下方に弾性付勢され、図示下方側の当接部５３ａがハウジング５１のカム面５１ｄに弾接している。
また、操作ノブ５２の第１リブ５２ｃと対向する第１ガイド部５１ｂには、図示上下方向に長い棒状の第１スイッチ操作部材５５が上下動自在に支持されており、操作ノブ５２の第２リブ５２ｄと対向する第２ガイド部５１ｃには、棒状の第２スイッチ操作部材５６が上下動自在に支持されている。
【０００５】
前記第１、第２スイッチ操作部材５５、５６の下部は、面積が大き矩形成されて第１、第２スイッチ機構５７、５８に当接している。
前記第１、第２スイッチ機構５７、５８は、弾性を有するゴムラバー５９によってドーム状の空洞部が形成され、この空洞部の天井面に可動接点５７ａ、５８ａが形成され、可動接点５７ａ、５８ａが対向する基板６０上には、固定接点６０ａ、６０ｂが形成されている。
また、ハウジング５１の下部は、遮蔽板６１で遮蔽されて、ハウジング５１の空洞内部が遮蔽されている。
【０００６】
このような従来のスイッチ装置の操作は、操作ノブ５２の把持部５２ａを下方に押下すると、第１リブ５２ｃが第１スイッチ操作部材５５を押圧して、第１スイッチ機構５７が下方に押される。そして、ゴムラバー５９が弾性変形して可動接点５７ａが固定接点６０ａに接触して第１のスイッチ回路が切り換わって、例えば自動車のウインドガラスが降下する。この時、同時にプランジャー５３が回動して当接部５３ａが、上壁５１に形成したカム面５１ｄ上を図示右方向に移動して、カム面５１ｄの形状に対応してクリック感が創出される。
【０００７】
また、操作ノブ５２の把持部５２ａを上方に引上ると、第２リブ５２ｄが第２スイッチ操作部材５６を押圧して、第２スイッチ機構５８が下方に押される。
そして、可動接点５８ａが固定接点６０ｂに接触して第２のスイッチ回路が切り換わって、降下していた自動車のウインドガラスが上昇する。
この時、同時にプランジャー５３が回動して当接部５３ａが、カム面５１ｄ上を図示左方向に移動して、クリック感が創出される。
【特許文献１】特開平６−７９０４７号公報
【発明の開示】
【発明が解決しようとする課題】
【０００８】
しかし、前述したような従来のスイッチ装置は、ハウジング５１内部に第１、第２スイッチ機構５７、５８を配設し、上壁５１ａにカム面を形成し、上下方向に長い棒状の第１、第２スイッチ操作部材５５、５６で第１、第２スイッチ機構５７、５８を押圧するような構造であったので、高さ寸法が大きくなり外形が大型になる問題があった。
【０００９】
また、カム面５１ｄをハウジング５１に一体形成するために、クリック感触を異ならせる場合は、ハウジング５１全体を作り替える必要があり、簡単にクリック感触を変更することが出来なかった。更には、樹脂材料からなるハウジング５１は、大型の部品であり成形条件等のバラツキに伴う種種九寸法のバラツキが大きく、よって個々のの寸法がバラツキ易く、スイッチ操作部材５５、５６を支持するガイド部５１ｂ、５１ｃが変形すると、スイッチ操作部材５５、５６がスムーズに摺動しなくなり、操作フィーリングがバラツクおそれがあった。
また、カム面５１ｄの形状がバラツクおそれがあり、クリック感触がバラツクので、特に自動車の各席のウィンドウに対応してスイッチ装置を複数設けた、例えば運転席用のパワーウィンドウスイッチユニットにおいては、大きな門田であった。
本発明は、前述のような課題を解決して、高さ方向の寸法が小さな小型化が可能で、容易にクリック感触を変更することができると共に操作フィーリングにバラツキが発生しないスイッチ装置を提供することを目的とする。
【課題を解決するための手段】
【００１０】
前記課題を解決するための第１の手段として本発明のスイッチ装置は、揺動操作可能にケースに支持された操作ノブと、この操作ノブの揺動操作で前記ケース内部に配設したスイッチ回路を切り換え可能なスイッチ機構とを備え、前記ケース内部には、前記操作ノブにクリック感を伝達可能なカム面を有し前記ケースと別体のカム部材が配設され、前記操作ノブの揺動操作に連動して、前記スイッチ回路が切り換わると共に、クリック感が創出されて前記操作ノブに伝達されることを特徴とする。
また、前記課題を解決するための第２の手段として、前記ケースの上壁部に前記操作ノブを配設し、前記上壁部の内部の上面に前記か濡部材を配設し、前記ケースの上面と対向する側に前記スイッチ回路を設けたことを特徴とする。
【００１１】
また、前記課題を解決するための第３の手段として、前記スイッチ機構は、前記ケース内部に配設したスイッチ基板上に前記カム部材と対向させて少なくとも一対形成され、前記カム部材には、前記操作ノブの揺動操作に連動していずれか一方の前記スイッチ機構を操作可能なスイッチ操作部材が支持されていることを特徴とする。
【００１２】
また、前記課題を解決するための第４の手段として、前記操作ノブには、前記ケースに支持可能な揺動支持部と、この揺動支持部近傍から前記ケース内部に配設した前記カム部材側に延びる操作軸とが形成され、前記操作軸には、前記スイッチ操作部材の一部が係合して前記カム部材に支持した前記スイッチ操作部材を回動操作可能な係合部が形成されていることを特徴とする。
【００１３】
また、前記課題を解決するための第５の手段として、前記操作軸には、前記カム面に弾性付勢して摺接可能な摺接部材が保持され、前記操作ノブを揺動操作すると、前記操作軸が傾動して前記摺接部材が前記カム面上を摺接し、前記操作ノブに前記クリック感が伝達されると共に、前記スイッチ操作部材が回動して前記スイッチ機構のスイッチ回路が切り換わることを特徴とする。
【００１４】
また、前記課題を解決するための第６の手段として、前記スイッチ操作部材は、前記操作ノブの前記操作軸を挟んで互いに対向する一対の挟持壁を有すると共に、前記操作軸に形成した前記係合部にスライド係合可能なスライド支持部が前記一対の挟持壁に形成され、前記操作ノブを揺動操作して前記操作軸が傾動すると、前記スライド支持部が前記係合部をスライドして、前記スイッチ操作部材が回動するようにしたことを特徴とする。
【００１５】
また、前記課題を解決するための第７の手段として、前記スイッチ操作部材には、前記一対の挟持壁を一体化する基部を有し、この基部には、前記カム部材に形成した第１係止部に回動自在に係合可能な回動支持部が一対形成されると共に、前記一対の回動支持部がそれぞれ中央部に設けられた一対の部分と、この一対の部分の端部同士を互いにつなぐ延出部分とが形成され、前記基部の一方側と他方側との延出部分と対向する下方側には、前記スイッチ機構がそれぞれ配設され、前記スイッチ操作部材が前記回動支持部を支点として回動すると、前記基部の延出部分がそれぞれの前記スイッチ機構を操作可能になっていることを特徴とする。
【００１６】
また、前記課題を解決するための第８の手段として、前記摺動部材は、前記カム面上を摺接可能な鋼球からなることを特徴とする。
【００１７】
また、前記課題を解決するための第９の手段として、前記カム部材の前記カム面は、所定厚さの板状の壁部に形成され、前記壁部を前記ケース内部に形成した支持溝に嵌合させて前記カム部材を支持したことを特徴とする。
【００１８】
また、前記課題を解決するための第１０の手段として、前記スイッチ操作部材の一方側と他方側の前記基部の前記延出部分と対向する下方側には、前記スイッチ機構がそれぞれ２個ずつ（合計４個）形成され、前記操作ノブを揺動させる第１の揺動操作で、いずれか一方の前記延出部分によって前記２個の内の１個の前記スイッチ機構が操作され、前記第１の揺動操作より揺動量が大きな第２の揺動操作で、残りの１個のスイッチ機構を操作するようにしたことを特徴とする。
【００１９】
また、前記課題を解決するための第１１の手段として、前記カム部材のカム面には、前記操作ノブの前記第１の揺動操作に対応して第１のクリック感を創出可能な凹部と、前記第２の揺動操作に対応して第２のクリック感を創出可能な段差部とが形成されていることを特徴とする。
【００２０】
また、前記課題を解決するための第１２の手段として、前記カム部材は、前記ケース内部に形成した係止突起に係合可能な第２係止部が形成され、この第２係止部を前記係止突起に係合させることで前記カム部材が前記ケース内部に係止されることを特徴とする。
【発明の効果】
【００２１】
本発明のスイッチ装置のケース内部には、操作ノブにクリック感を伝達可能なカム面を有するカム部材が配設され、操作ノブの揺動操作に連動して、スイッチ回路が切り換わると共に、クリック感が創出されて操作ノブに伝達されるので、ケース内部にカム部材を配設することで、スイッチ機構とカム部材とをオーバーラップさせて配設でき、高さ寸法を小さくでき、小型化が可能なスイッチ装置を提供できる。
また、カム部材を交換するだけで、クリック感触を容易に変更することができる。更に、形状の大きなケースとカム部材及びスイッチ操作部材を別体としたことで、安定した操作が可能である。
また、ケースの上壁部の内部の上面にカム部材を配設したので、例えばスイッチ回路をゴムシートで覆って防水構造とする場合に、スイッチ回路からカム部材を突出させるのに比べて、ゴムシートに孔を明ける必要がなく、確実な防水構造とすることができる。
【００２２】
また、スイッチ機構は、ケース内部に配設したスイッチ基板上にカム部材と対向させて少なくとも一対形成され、カム部材には、操作ノブの揺動操作に連動していずれか一方のスイッチ機構を操作可能なスイッチ操作部材が支持されているので、１個のスイッチ操作部材で、少なくとも一対のスイッチ機構を操作することができ、部品点数の少ないスイッチ装置を提供できる。
また、カム部材に別体のスイッチ操作部材を支持することで、カム面の高寸法とスイッチ機構を押圧操作する高さ位置との寸法精度を高めることができ、クリック感触とスイッチの操作との同期を更に取り易くなる。
【００２３】
また、操作ノブには、ケースに支持可能な揺動支持部と、この揺動支持部近傍からケース内部に配設したカム部材側に延びる操作軸とが形成され、操作軸には、スイッチ操作部材の一部が係合してカム部材に支持したスイッチ操作部材を回動操作可能な係合部が形成されているので、操作ノブの揺動操作で操作軸が傾動すると、スイッチ操作部材を確実に回動させてスイッチ機構を操作することができる。
【００２４】
また、操作ノブを揺動操作すると、操作軸が傾動して摺接部材がカム面上を摺接し、操作ノブにクリック感が伝達されると共に、スイッチ操作部材が回動してスイッチ機構のスイッチ回路が切り換わるので、クリック感が操作ノブに伝達されることにより、スイッチ機構のスイッチ回路が切り換わったことを感知することができ、操作性が良い。
【００２５】
また、スイッチ操作部材は、操作ノブの操作軸を挟んで互いに対向する一対の挟持壁を有すると共に、操作軸に形成した係合部にスライド係合可能なスライド支持部が一対の挟持壁に形成され、操作ノブを揺動操作し記操作軸が傾動すると、スライド支持部が係合部をスライドして、スイッチ操作部材が回動するようにしたので、スイッチ操作部材を無理なく回動させてスイッチ機構を確実に操作することができる。
【００２６】
また、スイッチ操作部材には、一対の挟持壁を一体化する基部を有し、この基部には、カム部材に形成した第１係止部に回動自在に係合可能な回動支持部が一対形成されると共に、一対の回動支持部がそれぞれ中央部に設けられた一対の部分と、この一対の部分の端部同士を互いにつなぐ延出部分とが形成され、基部の一方側と他方側との延出部分と対向する下方側には、スイッチ機構がそれぞれ配設され、スイッチ操作部材が回動支持部を支点として回動すると、基部の延出部分がそれぞれの前記スイッチ機構を操作可能になっているので、更に確実なスイッチ操作が可能である。
また、摺動部材は、カム面上を摺接可能な鋼球からなるので、カム面との摩擦抵抗が小さく操作性が良い。
また、カム部材のカム面は、所定厚さの板状の壁部に形成され、前記壁部をケース内部に形成した支持溝に嵌合させてカム部材を支持したので、支持溝で壁部が変形するのを防ぐことができ、カム部材を薄肉にすることができ、小型化が可能である。
【００２７】
また、スイッチ操作部材の一方側と他方側の基部の延出部分と対向する下方側には、スイッチ機構がそれぞれ２個ずつ（合計４個）形成され、操作ノブの第１の揺動操作で、いずれか一方の延出部分によって前記２個の内の１個のスイッチ機構が操作され、第１の揺動操作より揺動量が大きな第２の揺動操作で、残りの１個のスイッチ機構を操作するようにしたので、１個のスイッチ操作部材で、４このスイッチ機構を操作することができ、更に操作性が良い。
【００２８】
また、カム部材のカム面には、操作ノブの第１の揺動操作に対応して第１のクリック感を創出可能な凹部と、第２の揺動操作に対応して第２のクリック感を創出可能な段差部とが形成されているので、第１、第２のクリック感を確実に高精度に創出して操作ノブに伝達できる。
【００２９】
また、カム部材は、ケース内部に形成した係止突起に係合可能な第２係止部が形成され、この第２係止部を係止突起に係合させることでカム部材がケース内部に係止されるので、組立性に優れている。
【発明を実施するための最良の形態】
【００３０】
本発明のスイッチ装置は、例えば自動車のパワーウインドスイッチに用いられているものを図面に基づいて説明する。図１は本発明のスイッチ装置の分解斜視図であり、図２は本発明に係わる操作ノブとカム部材との関係を説明する要部断面図であり、図３は本発明に係わる操作ノブとスイッチ操作部材との関係を説明する要部断面図であり、図４は、本発明に係わるスイッチ操作部材とカム部材の組立を説明する下面側から見た要部斜視図であり、図５は本発明に係わるカム部材のカム面を説明する要部斜視図である。
【００３１】
まず、本発明のスイッチ装置は、図１に示すように、最上部に複数の操作ノブ１は配設され、この操作ノブ１は、本体部１ａの図示左端部に操作者の指等で揺動操作可能な操作部１ｂが形成され、図右端部寄りに揺動支持部１ｃが形成され、本体部１ａの揺動支持部１ｃが形成された近傍からは、角柱状の操作軸２が下方側に延出形成されている。
前記操作軸２は、図４の下面側から見た斜視図に示すように、先端部から所定深さで割り溝２ａが形成され、この割り溝２ａで操作軸２の先端側に一対の操作部２ｂ、２ｂが形成され、この操作部２ｂ、２ｂの外側壁に、所定の幅寸法と深さ寸法の溝からなる係合部２ｃが形成されている。
【００３２】
また、割り溝２ａ内には、コイルバネ３と鋼球からなる摺動部材４が収納されて配設されている。即ち、摺動部材４は、コイルバネ３の付勢力で割り溝２ａから飛び出す方向に弾性付勢されている。
前記操作ノブ１は、揺動支持部１ｃがケース５に形成したノブ支持部６の支持突起６ａに支持可能になっている。そして、揺動支持部１ｃを支持突起６ａに支持した操作ノブ１は、操作軸２がケース５の空洞状の内部に位置して、揺動支持部１ｃを支点として操作部１ｂ側を上下に揺動操作すると、操作軸２が傾動可能になっている。
【００３３】
また、ケース５は、ノブ支持部６をその上方の外面に形成した上壁部５ｅと、この上壁部５ｅの周縁の下方に形成した側板５ａを有し、前記側板５ａの内面に後述するカム部材７支持可能な一対の凸条部５ｂ、５ｂ間に第１カム支持溝５ｃが形成され、この第１カム支持溝５ｃに係止突起５ｄが突出形成されている。
また、ケース５は、図２に示すように、ノブ支持部６の内側に位置する上部壁５ｅに、上下方向に貫通する貫通孔５ｆが設けられており、その貫通孔５ｆを横切るようにして、カム支持溝形成壁５ｇが上部壁５ｅに形成されている。
更に、ケース５は、図４に示すように、ノブ支持部６の空洞内部の互いに対向する上部壁５ｅの内面に、溝状の第２カム支持溝６ｂが形成されている。前記上部壁５ｅと側板５ａとでケース５は、内部に収納空間を形成するように概略箱状に形成されている。
【００３４】
また、図４に示す第１、第２カム支持溝５ｃ、６ｂには、図１に示すような、カム部材７が支持されており、このカム部材７は、樹脂材料からなり、所定の間隔を有して互いに対向する一対の壁部７ａが基部７ｂで連結されて一体化されている。
また、基部７ｂの長手方向の両端部に突出形成した支持部７ｃには、後述するスイッチ操作部材９の回動支持部９ｄがスナップイン係合可能な第１係止部７ｄと、ケース５の係止突起５ｄにスナップイン係止可能な第２係止部７ｅとが形成されている。
尚、前記第１係止部７ｄと第２係止部７えは、貫通孔で形成しているが、スナップイン係合する相手との凹凸関係は逆であっても構わない。
【００３５】
また、カム部材７は、それぞれの壁部７ａが薄肉の板状に形成され、壁部７ａの上面に逆３角形状のカム面８が形成されている。
前記カム面８は、図５に示すように、逆３角形状の底部に鋼球からなる摺動部材４が位置可能な凹部８ａが形成され、この凹部８ａに連設した傾斜状の第１カム面８ｂが形成されている。
また、凹部８ａから所定位置の第１カム面８ｂには、所定高さの段差部８ｃが形成され、この段差部８ｃの上方側に第２カム面８ｄが形成されて、第１カム面８ｂが段差部８ｃを介して第２カム面８ｄにつながっている。
【００３６】
そして、揺動操作しない時の操作ノブ１は、コイルバネ３の付勢力で摺動部材４が凹部８ａに位置した中立状態となっており、操作ノブ１の操作部１ｂを一方向への第１の揺動操作で、摺動部材４が凹部８ａから抜け出て第１カム面８ｂに位置することにより、第１のクリック感が創出されるようになっている。
また、操作ノブ１を第１の揺動操作より揺動量が大きい第２の揺動操作で、摺動部材４は、第１カム面８ｂから段差部８ｃを駆け上がって第２カム面８ｄ上に位置することにより、第２のクリック感が創出されるようになっている。
そして、ケース５のノブ支持部６には、図示左側に第１ストッパー部６ｃ、図示右側に第２ストッパー部６ｄが形成され、揺動操作する操作ノブ１の本体部１ａが第１ストッパー部６ｃ、または第２ストッパー部６ｄに当接して、操作ノブ１の揺動が停止するようになっている。
【００３７】
また、カム部材７には、図１に示すように、壁部７ａを挟んだ間に、３角状の一対の挟持壁９ａ、９ａを有するスイッチ操作部材９が配設されている。
前記スイッチ操作部材９は、樹脂材料からなり、３角状の挟持壁９ａの頂部に、操作軸２の溝状の係合部２ｃに係合してスライド可能なスライド支持部９ｂが内向きに突出して形成されている。尚、係合部２ｃとスライド支持部９ｂの凹凸関係は逆としても良い。
尚、互いに対向する一対の挟持壁９ａは、下部側が基部９ｃに連結されて一体化されている。
【００３８】
また、スイッチ操作部材９の基部９ｃには、カム部材７の第１係止部７ｄに係合可能な回動支持部９ｄが一対突出形成され、基部９ｃは、回動支持部９ｄがそれぞれ中央部に設けられた一対の部分と、この部分の端部同士を互いにつなぐ延出部分が一対形成されている。
前記基部９ｃは、一方側と他方側との延出部分が後述する第１〜第４スイッチ機構１０ａ〜１０ｄを操作可能になっている。
【００３９】
即ち、スイッチ操作部材９は、回動支持部９ｄをカム部材７の第１係止部７ｄに支持すると、一対の挟持壁９ａ、９ａ間にカム部材７の壁部７ａが位置して、回動支持部９ｄを支点として基部９ｃが回動自在になっている。
そして、スライド支持部９ｂに操作軸２の係合部２ｃをスライド可能に係合させて、操作ノブ１の揺動操作によって操作軸２が傾動すると、スイッチ操作部材９の基部９ｃが時計回り方向、または反時計回り方向に回動するようになっている。
【００４０】
また、スイッチ操作部材９の回動支持部９ｄを支持して組み合わせたカム部材７は、図４に示すように、壁部７ａの図示前後方向の両端部側がケース５の第２カム支持溝６ｂに嵌合させると共に、図示左右方向の支持部７ｃを第１カム支持溝５ｃに嵌合させることにより、支持部７ｃに形成した第２係止部７ｅが係止突起５ｄにスナップ係止されて、カム部材７がケース５内部から抜け止めされる。
また、図１に示すように、ケース５内部にスナップ係止した状態のカム部材７の下方には、シリコンゴム等からなるゴムシート１０が配設されている。
前記ゴムシート１０には、スイッチ操作部材９の一方側（図１における右側）の基部９ｃが対向する部分に、ドーム状に膨出形成した第１スイッチ機構１０ａと、この第１スイッチ機構１０ａより膨出高さが低い第２スイッチ機構１０ｂとが図１における前後方向に隣り合って形成されている。
ちなみに、図１と図４に示す前後左右は、異なる方向を示しているが、説明の都合上、図毎に設定した。
【００４１】
また、ゴムシート１０には、スイッチ操作部材９の他方側（図１における左側）の基部９ｃが対向する部分に、第１スイッチ機構１０ａと同じ高さの第３スイッチ機構１０ｂと、第２スイッチ機構１０ｂと同じ高さの第４スイッチ機構１０ｄとがそれぞれ図１における前後方向に隣り合って形成されている。
また、ゴムシート１０は、外周側が周壁１０ｅで囲まれており、この周壁１０ｅが後述するスイッチ基板１１を覆うようになっている。
前記ゴムシート１０のドーム状の第１〜第４スイッチ機構１０ａ〜１０ｄの天井面には、従来例と同様の導電性インク等を印刷して可動接点（図示せず）が形成されている。
【００４２】
また、ゴムシート１０は、板状のスイッチ基板１１に載置され、このスイッチ基板１１の上面には、第１〜第４スイッチ機構１０ａ〜１０ｄの可動接点と対向する部分に、第１〜第４固定接点（スイッチ回路）１１ａ〜１１ｄが形成されている。
そして、スイッチ基板１１は、上面及び側面がゴムシート１０で覆われているので、ゴムシート１０の上方から水等の液体が侵入したとしても、スイッチ基板１１の上面に液体が侵入しない防水構造となっている。
また、スイッチ基板１１は、下方に配設したカバー１２に取り付け可能になっており、スイッチ基板１１を取り付けたカバー１２は、ケース５にスナップ係止等で一体化可能になっている。
【００４３】
このような構成の本発明のスイッチ装置の操作を説明すると、まず、操作ノブ１が中立状態（摺動部材４がカム面８中央の凹部８ａに位置した状態）にあるときに、複数の内の１個の操作ノブ１の操作部１ｂを、例えば一方向である下方にプッシュ操作して第１の揺動操作を行うと、操作ノブ１が揺動支持部１ｃを支点として反時計回り方向に揺動すると共に、操作軸２も反時計回り方向に傾動して、凹部８ａに位置していた鋼球からなる摺動部材４が、図５に示す右側の第１カム面８ｂ上に移動する。尚、操作ノブ１の傾動に伴ってコイルバネ３は押し縮められるようになっている。
【００４４】
この時の摺動部材４は、凹部８ａから第１カム面８ｂに移動する時に、コイルバネ３の付勢力によって、第１のクリック感が創出されて操作ノブ１に伝達される。同時に、操作軸２の係合部２ｃに係合するスイッチ操作部材９のスライド支持部９ｂがスライドして、スイッチ操作部材９が回動支持部９ｄを支点として時計回り方向に回動する。
このことにより、スイッチ操作部材９の基部９ｃの一方側（図１における右側）が高さの高い第１スイッチ機構１０ａを押圧して、第１スイッチ機構１０ａの可動接点が第１固定接点１１ａに接触して第１のスイッチ回路が切り換わる。
【００４５】
前記第１のスイッチ回路が切り換わることで、例えば、自動車の前席側で運転席側のウインドウガラスを所望の位置に降下させるマニアル操作が可能になっている。また、操作ノブ１を第１の揺動操作より揺動量が大きい第２の揺動操作を行うことにより、摺動部材４が第１カム面８ｂから第２カム面８ｄ上に移動し、基部９ｃの一方側が第２スイッチ機構１０ｂを押圧して第２のスイッチ回路が切り換わる。尚、第１の揺動操作から第２の揺動操作位置となる途中で、摺動部材４が段差部８ｃを乗り越え、その際にクリック感触が創出される。
そして、前記第２のスイッチ回路が切り換わることで、例えば自動車のウインドウガラスを自動的に最下部まで降下させるオート操作が可能になっている。
尚、第２の揺動操作における操作ノブ１は、ストッパー部６ｃと当接しており、操作ノブ１手から放すと、主にコイルバネ３の付勢力、加えてゴムシートのドーム状部分によって中立状態に操作ノブ１は復帰する。
【００４６】
また、操作ノブ１の操作部１ｂを、他方向である上方にプルアップ操作して第３の揺動操作を行うと、操作ノブ１が揺動支持部１ｃを支点として時計回り方向に揺動すると共に、操作軸２も時計回り方向に揺動して、凹部８ａに位置していた鋼球からなる摺動部材４が、図５に示す左側の第１カム面８ｂ上に移動して第１のクリック感が操作ノブ１に伝達される。
すると、スイッチ操作部材９のスライド支持部９ｂが操作軸２の係合部２ｃ内をスライドして、スイッチ操作部材９が回動支持部９ｄを支点として反時計回り方向に回動する。
このことにより、スイッチ操作部材９の基部９ｃの他方側（図示左側）が高さの高い第３スイッチ機構１０ｃを押圧して、第３のスイッチ回路が切り換わる。
【００４７】
前記第３のスイッチ回路が切り換わることで、例えば、降下させていた自動車のウインドウガラスを所望の位置まで上昇させるマニアル操作が可能になっている。また、第１、第２のクリック感からなるクリック感触を変更する場合には、凹部８ｂの深さ、あるいは段差部８ｃの高さ等を変更したカム部材７のみを交換するだけで可能であり、クリック感触の変更が容易である。
また、操作ノブ１を、第３の揺動操作より揺動量が大きい第４の揺動操作を行うことにより、基部９ｃの他方側が第４スイッチ機構１０ｂを押圧して第４のスイッチ回路が切り換わる。
【００４８】
この第４のスイッチ回路が切り換わることで、例えば降下させた自動車のウインドウガラスを自動的に最上部まで上昇させるオート操作が可能になっている。
尚、第３の揺動操作と第４の揺動操作におけるクリック感触の生起、復帰については、前述の第１、第２の揺動操作と同様のため、その詳細な説明は省略する。
尚、前述の下方への動作の場合には、ストッパー６ｃに当接したが、上方への動作の場合には、ストッパー６ｄに当接する。
本実施例においてカム部材７は、ケース５にスナップイン係合して固定されているが、コイルバネ３によって常時付勢されているので、カム部材７にガタ付きが生じないようになっている。
また、本発明の説明では、複数の内の１個の操作ノブ１の構成及び操作を説明したが、その他の操作ノブ１も同じ構成及び操作方法になっている。
また、第１〜第４の４個のスイッチ機構１０ａ〜１０ｄで説明したが、スイッチ機構１０ｄ、１０ｂを削除する等して、ケース５内部に配設したスイッチ基板１１上にカム部材７及び上壁部５ｅに対向させて少なくとも一対（２個）形成したものでも良い。
この場合のカム部材７は、凹部８ａを挟んで左右に第１カム面８ｂだけを形成して、第１クリック感だけを創出するようにしたもので良い。
【図面の簡単な説明】
【００４９】
【図１】本発明のスイッチ装置の分解斜視図である。
【図２】本発明に係わる操作ノブとカム部材との関係を説明する要部断面図である。
【図３】本発明に係わる操作ノブとスイッチ操作部材との関係を説明する要部断面図である。
【図４】本発明に係わるスイッチ操作部材とカム部材の組立を説明する下面側から見た要部斜視図である。
【図５】本発明に係わるカム部材のカム面を説明する要部斜視図である。
【図６】従来のスイッチ装置を説明する要部断面図である。
【符号の説明】
【００５０】
１  操作ノブ
１ｂ  操作部  
１ｃ  操作支持部
２  操作軸
３  コイルバネ
４  摺動部材
５  ケース
５ｃ  第１カム支持溝
５ｄ  係止突起
７  カム部材
７ａ  壁部
７ｂ  基部
７ｄ  第１係止部
７ｅ  第２係止部
８  カム面
８ａ  凹部
８ｂ  第１カム面
８ｃ  段差部
８ｄ  第２カム面
９  スイッチ操作部材
９ｂ  スライド支持部
９ｃ  基部  
９ｄ  回動支持部
１０  ゴムシート
１１  スイッチ基板
１２  カバー
【図１】
2006140060.tif 000003
【図２】
2006140060.tif 000004
【図３】
2006140060.tif 000005
【図４】
2006140060.tif 000006
【図５】
2006140060.tif 000007
【図６】
2006140060.tif 000008